(57)【要約】【課題】ブラシレスモータの回路基板、ディスク駆動装置、およびＯＡ機器が電気的に導通する部位を有しつつも、静電気を帯びた人の手がブラシレスモータのロータホルダ等の導電材料に触れた際に、もしくは、静電気を帯びた人の手がロータホルダ等の導電材料に近接した際に、ディスク駆動装置およびＯＡ機器に静電気が導通することを防ぐ構造を有するブラシレスモータを提供すること。【解決手段】スリーブ３１の外周面を固定する内周面を有するハウジング３２には、アルマイト処理によって絶縁層３２３が形成される。この構成によって、静電気を帯びた人の手がロータホルダ２２に触れたとしても、もしくは、静電気を帯びた人の手がロータホルダ２２に近接したとしても、ハウジング３２において静電気を遮断するので、回路基板３５に静電気が導通することを防ぐことができる。【選択図】図５
2009050090.tif 000002
【特許請求の範囲】
【請求項１】
ディスクを手動で直接装着することが可能なチャッキング装置を備えたモータであって、
導電材料より形成された略平板状の取付板と、
前記取付板の上面に配置される回路基板と、
導電材料にて形成され、所定の中心軸を中心とした円筒部を有するとともに該円筒部が前記取付板に対し垂直になるように前記取付板に固定されたハウジングと、
導電材料にて形成され、前記ハウジングの前記円筒部の内周面に同軸状に固定された、軸受部と、
前記軸受部に挿入され、該軸受部によって回転自在に支持されるシャフトと、
導電材料にて形成され、前記シャフトに固定されるとともに前記軸受部の軸方向上側を覆う蓋部、および、該蓋部より軸方向下側に延びる円筒部を有するロータホルダと、
前記ロータホルダの前記円筒部に固定されるロータマグネットと、
前記ロータマグネットと対向して配置され、磁場を発生するステータと、
前記ロータホルダの前記蓋部の軸方向上側に配置されるチャッキング装置と、
を備え、
前記取付板と前記回路基板とは、同電位となるように互いに電気的に接続され、
前記ロータホルダ、もしくは、前記ハウジングの少なくともどちらか一方に電気的絶縁層が形成されていることを特徴とするモータ。
【請求項２】
請求項１に記載のモータであって、
前記ハウジングは、アルミニウム、もしくは、アルミニウム合金から構成され、
前記ハウジングの表面には、前記絶縁層として酸化皮膜処理が施されることを特徴とするモータ。
【請求項３】
ディスクを手動で直接装着することが可能なチャッキング装置を備えたモータであって、
所定の中心軸と同軸に配置される導電材料にて形成されたシャフトと、
導電材料により形成された略平板状の取付板と、
前記取付板の上面に配置される回路基板と、
導電材料にて形成され、所定の中心軸を中心とした円筒部を有するとともに該円筒部が前記取付板に対し垂直になるように前記取付板に固定されたハウジングと、
導電材料にて形成され、前記ハウジングの前記円筒部の内周面に同軸状に固定された軸受部と、
前記軸受部に挿入され、該軸受部によって回転自在に支持されるシャフトと、
導電材料にて形成され前記シャフトに固定され、前記軸受部の軸方向上側を覆う蓋部、および、該蓋部より軸方向下側に延びる円筒部を有するロータホルダと、
前記ロータホルダの前記円筒部に固定されるロータマグネットと、
前記ロータマグネットと対向して配置され、磁場を発生するステータと、
前記ロータホルダの前記蓋部の軸方向上側に配置されるチャッキング装置と、
を備え、
前記取付板と前記回路基板とは、同電位となるように互いに電気的に接続され、
前記軸受部と前記ハウジングとの間に、電気的絶縁を行う絶縁部材が挟まれることを特徴とするモータ。
【請求項４】
ディスクを手動で直接装着することが可能なチャッキング装置を備えたモータであって、
導電材料より形成された略平板状の取付板と、
前記取付板の上面に配置される回路基板と、
所定の中心軸を中心とした円筒部を有するとともに該円筒部が前記取付板に対し垂直になるように前記取付板に固定された、ハウジングと、
前記ハウジングの前記円筒部の内周面に固定される、軸受部と、
前記軸受部に挿入され、該軸受部によって回転自在に支持されるシャフトと、
前記シャフトに固定され、もしくは、前記シャフトと一体に形成される前記軸受部の軸方向上側を覆う蓋部を有するロータホルダと、
前記ロータホルダに固定されるロータマグネットと、
前記ロータマグネットと対向して配置され、磁場を発生するステータと、
前記ロータホルダの前記蓋部の軸方向上側に配置されるチャッキング装置と、
を備え、
前記取付板と前記回路基板とは、同電位となるように互いに電気的に接続され、
前記シャフト、もしくは、前記ロータホルダと、前記取付板と、の間には、絶縁手段を有することを特徴とするモータ。
【請求項５】
請求項４に記載のモータであって、
前記取付板と前記ハウジングとは、別々の部材にて構成され、
前記絶縁手段は、前記取付板と前記ハウジングとの固定部分に絶縁層もしくは絶縁部材を挟むことを特徴とするモータ。
【請求項６】
請求項４に記載のモータであって、
前記絶縁手段は、前記ロータホルダ、前記軸受部、および前記ハウジングの接触部分の少なくとも一つが電気的絶縁材料であることを特徴とするモータ。
【請求項７】
請求項４に記載のモータであって、
前記シャフト、前記ロータホルダ、前記軸受部、および前記ハウジングは、導電材料にて構成され、
前記シャフト、前記ロータホルダ、前記軸受部、および前記ハウジングのうち、少なくとも一つに電気的絶縁を行う塗装により絶縁層を形成することを特徴とするモータ。
【請求項８】
請求項４に記載のモータであって、
前記シャフト、前記ロータホルダ、前記軸受部、および前記ハウジングは、導電材料にて構成され、
前記ロータホルダは、電気的絶縁を行う接着剤により絶縁層を形成することを特徴とするモータ。
【請求項９】
請求項４に記載のモータであって、
前記取付板と前記ハウジングとは、一部材にて形成されることを特徴とするモータ。
【発明の詳細な説明】
【技術分野】
【０００１】
本発明は、人の手によって直接チャッキング装置にディスクを装着するブラシレスモータ、および、このブラシレスモータを搭載するディスク駆動装置に関する。特に、人の手から静電気がブラシレスモータ側に導通された際に、ブラシレスモータと接続する回路基板に静電気が導通するのを防止する構造に関する。
【背景技術】
【０００２】
従来から、外部電源と、外部電源に接続されるパーソナルコンピュータ等のＯＡ機器と、ＯＡ機器に搭載されるＣＤおよびＤＶＤ等の円盤状の光学ディスクの記録再生または再生を行うディスク駆動装置と、ディスク駆動装置に搭載される光学ディスクを着脱可能とするチャッキング装置を備えたブラシレスモータとは、互いに電気的に導通する部位を有することによって、それぞれの基準となる電位を一様にしている。これにより、ＯＡ機器のシステムの電気的な安定を図っている。
【０００３】
特にブラシレスモータでは、ディスク駆動装置に取り付けるための取付板と回路基板の基準となる電位であるＧＮＤ部とをビス等の導電材料にて接続する構造を採用している。この構造においては、ディスク駆動装置側のブラシレスモータを取り付ける取付部も導電材料の金属板を使用しており、取付部と取付板とを介して電位を一様にしている（このような従来のブラシレスモータの構造の例として、例えば、特許文献１参照）。
【０００４】
また、チャッキング装置を備えたブラシレスモータは、ディスク駆動装置が備えている、光学ディスクの上面を押さえるクランプ部材を削除した、人の手によって直接チャッキング装置に光学ディスクを着脱可能とする構造が開発されている。そして、近年、ディスク駆動装置の薄型化に伴い、光学ディスクを載置するディスク載置部を有するターンテーブルは、ブラシレスモータの駆動源の一部となるロータマグネットを保持する磁性体であり、且つ、導電材料にて構成されたロータホルダが兼ねた構造となっている。
【０００５】
また、チャッキング装置を備えたブラシレスモータは、一般に、回転軸となるシャフト、シャフトを回転自在に支持するスリーブ、および、スリーブを支持するハウジングは、それぞれ導電材料の金属製である（このような従来の人の手によって直接チャッキング装置に光学ディスクを着脱可能としたブラシレスモータの例として、特許文献２参照）。
【０００６】
【特許文献１】特許第３６７４９９４号公報
【特許文献２】特開２００２−２８８９１０号公報
【発明の開示】
【発明が解決しようとする課題】
【０００７】
しかしながら、ブラシレスモータでは、人の手によって光学ディスクを直接チャッキング装置への着脱を行うために、導電材料であるロータホルダに人の手が触れてしまう可能性がある。また、光学ディスクを装着しない場合においても、ロータホルダに人の手が触れてしまうことは可能な構造である。特に人の手が静電気を帯びていた場合、静電気は、例えば、ロータホルダ→シャフト→スリーブ→ハウジング→取付板→回路基板という経路を通り、ディスク駆動装置へ導通してしまう可能性がある。また、静電気は、気中放電により、ロータホルダに直接人の手が触れなくても、上記経路を通り、ディスク駆動装置へ導通してしまう可能性がある。その上、ＯＡ機器、ディスク駆動装置、および、ブラシレスモータが互いに電気的に導通する部位を有することにより、静電気がブラシレスモータからＯＡ機器にまで導通してしまう可能性がある。その結果、ＯＡ機器にディスクの記録再生エラー等の電気的な異常が発生してしまう可能性がある。
【０００８】
また、ＯＡ機器の電気的システムの安定のためには、ブラシレスモータの回路基板、ディスク駆動装置、および、ＯＡ機器とは、電気的に導通する部位を有する必要がある。そのために、ブラシレスモータの回路基板、ディスク駆動装置、およびＯＡ機器が電気的に導通する部位を有しつつも、静電気を帯びた人の手がブラシレスモータのロータホルダ等の導電材料に触れた際に、もしくは、静電気を帯びた人の手がロータホルダ等の導電材料に近接した際に、ディスク駆動装置およびＯＡ機器に静電気が侵入することを防ぐ構造が必要であった。
【０００９】
本発明は、上記問題に鑑みなされたものであり、その目的とするところは、ブラシレスモータの回路基板、ディスク駆動装置、およびＯＡ機器が電気的に導通する部位を有しつつも、静電気を帯びた人の手がブラシレスモータのロータホルダ等の導電材料に触れた際に、もしくは、静電気を帯びた人の手がロータホルダ等の導電材料に近接した際に、ディスク駆動装置およびＯＡ機器に静電気が侵入することを防ぐ構造を有するブラシレスモータを提供することである。
【課題を解決するための手段】
【００１０】
本発明の請求項１によれば、ディスクを手動で直接装着することが可能なチャッキング装置を備えたモータであって、導電材料より形成された略平板状の取付板と、前記取付板の上面に配置される回路基板と、導電材料にて形成され、所定の中心軸を中心とした円筒部を有するとともに該円筒部が前記取付板に対し垂直になるように前記取付板に固定されたハウジングと、導電材料にて形成され、前記ハウジングの前記円筒部の内周面に同軸状に固定された、軸受部と、前記軸受部に挿入され、該軸受部によって回転自在に支持されるシャフトと、導電材料にて形成され、前記シャフトに固定されるとともに前記軸受部の軸方向上側を覆う蓋部、および、該蓋部より軸方向下側に延びる円筒部を有するロータホルダと、前記ロータホルダの前記円筒部に固定されるロータマグネットと、前記ロータマグネットと対向して配置され、磁場を発生するステータと、前記ロータホルダの前記蓋部の軸方向上側に配置されるチャッキング装置と、を備え、前記取付板と前記回路基板とは、同電位となるように互いに電気的に接続され、前記ロータホルダ、もしくは、前記ハウジングの少なくともどちらか一方に電気的絶縁層が形成されていることを特徴とする。
【００１１】
本発明の請求項１に従えば、静電気を帯びた人の手が、ロータホルダに触れたとしても、その静電気は、ハウジングに絶縁層があるために、軸受部とハウジングとの間にて導通経路を遮断されるために、静電気が回路基板および接続用導電線を通して、外部の回路基板に導通することを防ぐことができる。また、ロータホルダに絶縁層を設けた場合、静電気を帯びた人の手がロータホルダに触れたとしても、静電気が他の部材に導通することを防ぐことができる。したがって、静電気による光学ディスクの記録再生エラー等の電気的な異常の発生を防ぐ信頼性の高いモータを提供することができる。
【００１２】
本発明の請求項２によれば、請求項１に係り、前記ハウジングは、アルミニウム、もしくは、アルミニウム合金から構成され、前記ハウジングの表面には、前記絶縁層として酸化皮膜処理が施されることを特徴とする。
【００１３】
本発明の請求項２に従えば、アルミニウム、もしくは、アルミニウム合金から構成されるハウジングの表面に酸化被膜処理が施されることによって、ハウジングに絶縁層が形成されるとともに、その絶縁層は防錆の役割を果たす。したがって、多湿の環境下においても、信頼性の高いモータを提供することができる。
【００１４】
本発明の請求項３によれば、ディスクを手動で直接装着することが可能なチャッキング装置を備えたモータであって、所定の中心軸と同軸に配置される導電材料にて形成されたシャフトと、導電材料により形成された略平板状の取付板と、前記取付板の上面に配置される回路基板と、導電材料にて形成され、所定の中心軸を中心とした円筒部を有するとともに該円筒部が前記取付板に対し垂直になるように前記取付板に固定されたハウジングと、導電材料にて形成され、前記ハウジングの前記円筒部の内周面に同軸状に固定された軸受部と、前記軸受部に挿入され、該軸受部によって回転自在に支持されるシャフトと、導電材料にて形成され前記シャフトに固定され、前記軸受部の軸方向上側を覆う蓋部、および、該蓋部より軸方向下側に延びる円筒部を有するロータホルダと、前記ロータホルダの前記円筒部に固定されるロータマグネットと、前記ロータマグネットと対向して配置され、磁場を発生するステータと、前記ロータホルダの前記蓋部の軸方向上側に配置されるチャッキング装置と、を備え、前記取付板と前記回路基板とは、同電位となるように互いに電気的に接続され、前記軸受部と前記ハウジングとの間に、電気的絶縁を行う絶縁部材が挟まれることを特徴とする。
【００１５】
本発明の請求項３に従えば、軸受部とハウジングとの間に絶縁部材を挟むことによって、軸受部とハウジングとの導通経路を遮断することができる。したがって、静電気を帯びた人の手がロータホルダおよびシャフトに触れた際に、もしくは、静電気を帯びた人の手がロータホルダ等の導電材料に近接した際に、軸受部とハウジングとの間以降は、導通しないために、回路基板に導通することを防ぐことができる。したがって、静電気による光学ディスクの記録再生エラー等の電気的な異常の発生を防ぐ信頼性の高いモータを提供することができる。
【００１６】
本発明の請求項４によれば、ディスクを手動で直接装着することが可能なチャッキング装置を備えたモータであって、導電材料より形成された略平板状の取付板と、前記取付板の上面に配置される回路基板と、所定の中心軸を中心とした円筒部を有するとともに該円筒部が前記取付板に対し垂直になるように前記取付板に固定された、ハウジングと、前記ハウジングの前記円筒部の内周面に固定される、軸受部と、前記軸受部に挿入され、該軸受部によって回転自在に支持されるシャフトと、前記シャフトに固定され、もしくは、前記シャフトと一体に形成される前記軸受部の軸方向上側を覆う蓋部を有するロータホルダと、前記ロータホルダに固定されるロータマグネットと、前記ロータマグネットと対向して配置され、磁場を発生するステータと、前記ロータホルダの前記蓋部の軸方向上側に配置されるチャッキング装置と、を備え、前記取付板と前記回路基板とは、同電位となるように互いに電気的に接続され、前記シャフト、もしくは、前記ロータホルダと、前記取付板と、の間には、絶縁手段を有することを特徴とする。
【００１７】
本発明の請求項４に従えば、静電気を帯びた人の手が、ロータホルダもしくはシャフトに触れた際、もしくは、静電気を帯びた人の手がロータホルダ等の導電材料に近接した際に、その静電気は、シャフトもしくはロータホルダと取付板との導通経路の間に絶縁手段が設けられることによって、外部の回路基板に静電気が導通する前に、導通経路を遮断するために、外部の回路基板に静電気が導通することを防ぐことができる。したがって、静電気による光学ディスクの記録再生エラー等の電気的な異常の発生を防ぐ信頼性の高いモータを提供することができる。
【００１８】
本発明の請求項５によれば、請求項４に係り、前記取付板と前記ハウジングとは、別々の部材にて構成され、前記絶縁手段は、前記取付板と前記ハウジングとの固定部分に絶縁層もしくは絶縁部材を挟むことを特徴とする。
【００１９】
本発明の請求項５に従えば、別部材として構成された取付板とハウジングとの固定部分に絶縁部材を挟むことによって、取付板とハウジングとの間の導通を容易に遮断することができる。
【００２０】
本発明の請求項６によれば、請求項４に係り、前記絶縁手段は、前記ロータホルダ、前記軸受部、および前記ハウジングの接触部分の少なくとも一つが電気的絶縁材料であることを特徴とする。
【００２１】
本発明の請求項６に従えば、ロータホルダ、軸受部、ハウジングの少なくとも一つが電気的絶縁材料にて形成されることによって、ロータホルダと取付板との間の導通を容易に遮断することができる。
【００２２】
本発明の請求項７によれば、請求項４に係り、前記シャフト、前記ロータホルダ、前記軸受部、および前記ハウジングは、導電材料にて構成され、前記シャフト、前記ロータホルダ、前記軸受部、および前記ハウジングのうち、少なくとも一つに電気的絶縁を行う塗装により絶縁層を形成することを特徴とする。
【００２３】
本発明の請求項７に従えば、塗装によって電気的絶縁を図ることによって、ロータホルダと取付板との間の導通を容易に遮断することができる。
【００２４】
本発明の請求項８によれば、請求項４に係り、前記シャフト、前記ロータホルダ、前記軸受部、および前記ハウジングは、導電材料にて構成され、前記ロータホルダは、電気的絶縁を行う接着剤により絶縁層を形成することを特徴とする。
【００２５】
本発明の請求項８に従えば、接着剤によって電気的絶縁を図ることによって、ロータホルダと取付板との導通を容易に遮断することができる。
【００２６】
本発明の請求項９によれば、請求項４に係り、前記取付板と前記ハウジングとは、一部材にて形成されることを特徴とする。
【００２７】
本発明の請求項９に従えば、取付板とハウジングとを一部材にて形成することによって、部品点数の削減を図ることができる。
【発明の効果】
【００２８】
本発明によれば、ブラシレスモータの回路基板、ディスク駆動装置、およびＯＡ機器が電気的に導通する部位を有しつつも、静電気を帯びた人の手がブラシレスモータのロータホルダ等の導電材料に触れた際に、もしくは、静電気を帯びた人の手がロータホルダ等の導電材料に近接した際に、ディスク駆動装置およびＯＡ機器に静電気が導通することを防ぐ構造を有するブラシレスモータを提供することができる。
【発明を実施するための最良の形態】
【００２９】
＜ブラシレスモータの全体構造＞
本発明のブラシレスモータの実施例の一形態について、図１乃至図３を用いて説明する。図１は本発明のブラシレスモータの実施例の一形態を示した軸方向に切った模式断面図である。図２は本発明のブラシレスモータの実施例の一形態を示した軸方向上側より見た模式平面図である。図３は本発明のハウジングの実施例の一形態を示した軸方向に切った模式断面図である。
【００３０】
図１を参照して、ブラシレスモータ１０は、所定の中心軸Ｊ１の周囲を回転し、円盤状の記録ディスク（図１では不図示）を回転する後述するロータマグネット２３を有する回転部２０とロータマグネット２３と径方向に対向する面を有する後述するステータ３３を有する固定部３０とから構成される。
【００３１】
まず回転部２０について説明する。
【００３２】
回転部２０は、中心軸Ｊ１と同軸に配置されるステンレス鋼等の導電材料にて形成されたシャフト２１と、シャフト２１に固定される、亜鉛メッキ鋼板等の導電性を有する磁性体にて構成されたロータホルダ２２と、ロータホルダ２２に固定されるロータマグネット２３と、ロータホルダ２２の上側に配置されたチャッキング装置２４と、を備える。
【００３３】
ロータホルダ２２は、シャフト２１の外周面に固定される略円筒形状のシャフト固定部２２１と、シャフト固定部２２１の軸方向下側より径方向に延びる平面である蓋部２２２と、蓋部２２２の外周縁より軸方向下側に延びる円筒部２２３と、から構成される。そして円筒部２２３の内周面に略円筒形状のロータマグネット２３が固定される。
【００３４】
ロータホルダ２２の蓋部２２２における径方向外側には、軸方向上側に屈曲した、蓋部２２２と略平行な平面である載置部２２４が形成される。そして載置部２２４における径方向外側には、円環状のラバーである載置面２２４１が設けられる。
【００３５】
ロータホルダ２２のシャフト固定部２２１の外周面には、チャッキング装置２４が固定される。このチャッキング装置２４は、ＣＤやＤＶＤ等の光学ディスク（不図示）の中心開口部と接触する、樹脂材料を射出成型にて形成されたセンターケース２４１と、センターケース２４１に収容されるコイルバネ２４２（本実施例では、３個。図２参照）と、コイルバネ２４２によって径方向外側に付勢される、樹脂材料を射出成型にて形成されたチャック爪２４３（本実施例では、３個。図２参照）と、から構成される。このチャック爪２４３は、光学ディスクの中心開口部の上縁に接触することによって、光学ディスクを保持する。またセンターケース２４１には、調芯爪２４１１（本実施例では、３個。図２参照）が一体に設けられる。そしてこの調芯爪２４１１が光学ディスクの中心開口部に接触することによって、中心開口部の中心と中心軸Ｊ１とが一致するように調整する。
【００３６】
次に固定部３０について説明する。
【００３７】
固定部３０は、シャフト２１を径方向に回転自在に支持する内周面を有する略円筒形状であるスリーブ３１と、スリーブ３１の外周面を保持する内周面を有する、アルミニウムもしくはアルミニウム合金にて形成されたハウジング３２と、ハウジング３２に固定されるステータ３３と、ハウジング３２に固定され、ステータ３３より軸方向下側に配置される取付板３４と、取付板３４の上面に固定される回路基板３５と、ハウジング３２に固定され、ハウジング３２の内周面の軸方向下側を覆う円盤状のプレート３６と、プレート３６の上面に配置される、樹脂材料製のスラスト板３７と、を備える。
【００３８】
スリーブ３１は、導電材料の金属の粉を焼き固めた上、油を浸み込ませて形成される。
【００３９】
ハウジング３２は、ステータ３３を固定する基部３２１と、基部３２１より軸方向上側に延びる略円筒形状の円筒部３２２と、から構成される。ハウジング３２の内周面は、基部３２１の内周面および円筒部３２２の内周面から構成される。そして、ハウジング３２の表面には、酸化被膜処理の一種であるアルマイト処理（陽極酸化皮膜）が施される。これにより、ハウジング３２の表面に電気的絶縁を行う絶縁層３２３（酸化アルミニウム皮膜）を形成する（図３参照）。
【００４０】
またハウジング３２の下面側には、プレート３６と固定する内側円環突起部３２１１と、内側円環突起部３２１１の径方向外側に形成され、取付板３４と固定する外側円環突起部３２１２と、が設けられる。プレート３６は、内側円環突起部３２１１がプレート３６の下面側より径方向内側に塑性変形させることによって、ハウジング３２の下面および内側円環突起部３２１１との間にて挟まれる。すなわち、プレート３６は、ハウジング３２にカシメによって固定される。そして、取付板３４は、外側円環突起部３２１２が取付板３４の下面側より径方向外側に塑性変形させることによって、ハウジング３２の下面と外側円環突起部３３１２との間にて挟まれる。すなわち、取付板３４は、ハウジング３２にカシメによって固定される。
【００４１】
ハウジング３２の円筒部３２２の軸方向上側には、径方向外側に向かい突出する係止部３２２１が円筒部３２２と一体に形成される。係止部３２２１の外周面は、軸方向下側に向かい径方向外側に傾斜する傾斜面を有する。またロータホルダ２２の蓋部２２２の下面には、抜止部材２５が固定される。この係止部３２２１と抜止部材２５とにより、回転部２０が軸方向上側に移動することを規制する役割を果たす。
【００４２】
ステータ３３は、薄板状の磁性板を軸方向に複数積層したステータコア３３１と、ステータコア３３１に導電線を巻回することによって形成した複数のコイル３３２と、から構成される。ステータコア３３１の外周面は、ロータマグネット２３の内周面と径方向に対向して配置される。
【００４３】
取付板３４は、略平板状に形成された導電材料の鋼板にて形成される。そして、回路基板３５は、取付板３４の上面に、絶縁層（不図示）を介して配置される。また回路基板３５の両面に配線パターン（不図示）が形成される。回路基板３５の基準となる電位であるＧＮＤ部３５１（図２参照）には、取付板３４と導通を図る、導電材料のビス３８が固定される。これにより、取付板３４の電位と回路基板３５のＧＮＤ部３５１の電位とを一致させる。また回路基板３５には、外部の制御用回路基板（不図示）へと電気的に接続する接続用導電線３９が接続される。そして、回路基板３５には、接続用導電線３９を電気的に接続するための接続部３５２が形成される。このＧＮＤ部３５１は、接続用導電線３９と接続されることによって、上記制御用回路基板の電位基準とＧＮＤ部３５１との電位を一致させる。ここで、本実施例の接続用導電線３９は、ＦＦＣである。そして、接続部３５２は、複数の銅箔にて形成される。そして接続用導電線３９は、接続部３５２に半田付によって接続される。
【００４４】
ステータ３３のコイル３３２に電流を通流することによって、ステータ３３は磁場を発生させる。そして、ロータマグネット２３とステータ３３とに生成された回転磁界によって、中心軸Ｊ１を中心とする回転トルクが発生し、回転部２０が回転する。
【００４５】
＜静電気の経路＞
次に静電気を帯びた人の手がロータホルダ２２、または、シャフト２１に触れた際の、もしくは、もしくは、静電気を帯びた人の手がロータホルダ２２、または、シャフト２１に近接した際に静電気が導通する経路について図４および図５を用いて説明する。図４は、ハウジング３２ａにアルマイト処理が施されない場合のブラシレスモータ１０ａに静電気が導通する経路を示した模式断面図である。図５は、ハウジング３２にアルマイト処理が施された場合のブラシレスモータ１０に静電気が導通する経路を示した模式断面図である。静電気の経路は、それぞれ点線矢印にて示す。
【００４６】
図４を参照して、ブラシレスモータ１０ａにおける静電気の経路は、人の手がロータホルダ２２に触れた場合、もしくは、静電気を帯びた人の手がロータホルダ２２、または、シャフト２１に近接した場合、ロータホルダ２２→シャフト２１→スリーブ３１→ハウジング３２ａ→取付板３４→ビス３８→回路基板３５と導通する。ブラシレスモータ１０ａの回転停止中に、ディスクをチャッキング装置２４に載置するために、人の手が、シャフト２１に直接触れる場合、もしくは、シャフト２１に近接する場合がある。その際に、シャフト２１からスリーブ３１へと静電気が導通する。ハウジング３２ａから取付板３４へは、ハウジング３２ａにおける取付板３４の上面と接触する下面および外側円環突起３２１２から静電気が導通する。そして、取付板３４から回路基板３５へは、ビス３８を介して、回路基板３５のＧＮＤ部３５１に静電気が導通する。そして、ＧＮＤ部３５１は、接続用導電線３９を介して制御用回路基板に接続されるために、静電気は、ＧＮＤ部３５１を介して制御用回路基板に導通する。静電気が制御用回路基板まで導通してしまうために、制御用回路基板が静電気によって不具合を発生する可能性がある。その結果、制御用回路基板による光学ディスクの記録再生エラー等の電気的な異常を発生してしまう可能性がある。
【００４７】
図５を参照して、ブラシレスモータ１０における静電気の経路は、ハウジング３２に絶縁層３２３が形成されているために、ロータホルダ２２→シャフト２１→スリーブ３１までしか導通しない。すなわち、スリーブ３１の外周面とハウジング３２の内周面との導通経路に絶縁層３２３が形成されるために、静電気は、その絶縁層３２３にて遮断される。すなわち、静電気は、スリーブ３１からハウジング３２に導通することができない。したがって、静電気は、取付板３４、回路基板３５、および制御用回路基板に導通することを防ぐことができる。したがって、静電気による光学ディスクの記録再生エラー等の電気的な異常を防止した信頼性の高いブラシレスモータを提供することができる。
【００４８】
またハウジング３２は、アルマイト処理を行って、絶縁層３２３を形成しているので、電気的絶縁を図るとともに、防錆を行うことができる。したがって、多湿の環境下においても、信頼性の高いブラシレスモータを提供することができる。
【００４９】
以上、本発明のブラシレスモータの実施例の一形態について説明したが、本発明はこれに限定されることなく、特許請求の範囲内において種々の変形が可能である。
【００５０】
例えば、本発明のブラシレスモータでは、ハウジング３２にアルマイト処理を行うことによって、絶縁層３２３を形成して、静電気をその絶縁層３２３によって遮断したが、本発明はこれに限定されることはない。シャフト２１およびロータホルダ２２から取付板３４の経路の間において、静電気の導通を遮断する構造があればよい。したがって、シャフト２１およびロータホルダ２２の表面に絶縁層が形成されていてもよい。または、少なくともハウジング３２と接触する取付板３４の部位の表面に絶縁層が形成されてもよい。
【００５１】
例えば、本発明のブラシレスモータは、軸受部にスリーブ３１を用いたが、本発明はこれに限定されることはない。例えば、ボールベアリング等の転がり軸受を使用してもよい。この場合、転がり軸受の転動体にはセラミック製のボールを使用してもよい。
【００５２】
また例えば、本発明のブラシレスモータでは、取付板３４と回路基板３５のＧＮＤ部３５１との導通させる構造として、ビス３８を用いたが、本発明はこれに限定されることはない。取付板３４と回路基板３５のＧＮＤ部３５１とを導通させる手段があればよい。したがって、例えば、図６のように、取付板３４ａを軸方向上側にバーリング加工させて、そのバーリングされた円筒部３４１ａをＧＮＤ部３５１にカシメによって、径方向外側に塑性変形させた構造であってもよい。
【００５３】
また例えば、本発明のブラシレスモータでは、ハウジング３２に絶縁層３２３を設けることによって、静電気を回路基板３５に導通させることを防いでいたが、本発明はこれに限定されることはない。例えば、図７に示すようにスリーブ３１の外周面とハウジング３２の内周面との間に、電気的絶縁材料となる円筒形状の樹脂材料５０を挟むことによって、静電気を回路基板３５に導通させることを防いでもよい。また例えば、シャフト２１、ロータホルダ２２、スリーブ３１、およびハウジング３２の少なくとも一つの部材に電気的絶縁を行う塗料を塗布してもよい。また例えば、ロータホルダ３２を、電気的絶縁を行う接着剤にて覆ってもよい。
【００５４】
また例えば、本発明のブラシレスモータでは、ロータホルダ２２は、導電性を有する磁性体にて形成されたが、本発明はこれに限定されることはない。例えば、電気的絶縁性を有する樹脂材料にて形成されてもよい。また、ハウジング３２においても、同様に電気的絶縁性を有する樹脂材料にて形成されてもよい。
【００５５】
また例えば、本発明のブラシレスモータでは、回路基板３５の接続部３５２に接続用導電線３９が半田付にて接続されていたが、本発明はこれに限定されることはない。外部の回路基板と電気的に接続される構造を有すればよい。例えば、接続部３５２がコネクタにて形成されてもよい。また回路基板３５をフレキシブル回路基板にて形成し、直接、外部の回路基板に接続する構造であってもよい。
【００５６】
また本発明のブラシレスモータでは、ハウジング３２にアルマイト処理を施すことによって絶縁層３２３を形成したが、本発明はこれに限定されることはない。ハウジング３２に絶縁層３２３を形成できればよいので、アルマイト処理以外の表面処理でもよい。
【００５７】
また本発明のブラシレスモータでは、ステータ３３の径方向外側にロータマグネット２３を配置した構造であったが、本発明はこれに限定されることはない。例えば、ロータマグネットの径方向外側にステータを配置してもよい。また、ロータマグネットとステータとを軸方向に対向して配置した構造であってもよい。
【００５８】
また本発明のブラシレスモータでは、シャフト２１とロータホルダ２２とが別部材であったが、本発明はこれに限定されることはない。例えば、シャフト２１とロータホルダ２２とが一部材から形成されてもよい。
【００５９】
また本発明のブラシレスモータでは、ハウジング３２と取付板３４とが、別部材であったが、本発明はこれに限定されることはない。例えば、ハウジング３２と取付板３４とが一部材から形成されてもよい。
【図面の簡単な説明】
【００６０】
【図１】本発明のブラシレスモータの実施例の一形態を示した、軸方向に切った模式断面図である。
【図２】本発明のブラシレスモータの実施例の一形態を示した、軸方向上側より見た模式平面図である。
【図３】本発明のハウジングを示した、軸方向に切った模式断面図である。
【図４】ハウジングにアルマイト処理を施さない場合のブラシレスモータに静電気が導通する経路を示した模式断面図である。
【図５】本発明のブラシレスモータに静電気が導通する経路を示した模式断面図である。
【図６】本発明のブラシレスモータの他の実施例を示した、軸方向に切った模式断面図である。
【図７】本発明のブラシレスモータの他の実施例を示した、軸方向に切った模式断面図である。
【符号の説明】
【００６１】
１０        ブラシレスモータ
２１        シャフト
２２        ロータホルダ
２４        チャッキング装置
３１        スリーブ
３２        ハウジング
３２３      絶縁層（絶縁手段）
３３        ステータ
３４        取付板
３５        回路基板
３５１      ＧＮＤ部
３５２      接続部
３８        ビス
Ｊ１        中心軸
【図１】
2009050090.tif 000003
【図２】
2009050090.tif 000004
【図３】
2009050090.tif 000005
【図４】
2009050090.tif 000006
【図５】
2009050090.tif 000007
【図６】
2009050090.tif 000008
【図７】
2009050090.tif 000009